(57)【要約】      （修正有）【課題】ハンドストラップのグリップ本体との連結部分における左右方向への傾動動作を良好に規制しつつ上下方向の傾動動作をスムーズに行い得て、歩行補助効果を十分に高めることが可能な歩行補助用ポールのグリップを提供する。【解決手段】グリップ本体の歩行方向後方側となる背面に着脱可能に取り付けられるハンドストラップ６が、グリップ本体を手で握った際に親指と人差指との間に位置可能な可撓性のベルト６ｃ１、６ｃ２と、基端部がベルト６ｃ１、６ｃ２の長手方向に傾動可能に連結されると共に先端部に係止部を有する係止部材７と、ベルト６ｃ１、６ｃ２の両端部に連結されて手を支持可能なストラップ本体６ａとを有し、係止部材７の先端部をグリップ本体の背面に設けた係止部材挿入孔に挿入して、当該挿入孔内に設けられた操作部材７の係止部に係止部材７の係止部を着脱可能に係止させる。【選択図】図２
0003215907.tif 000002
【実用新案登録請求の範囲】
【請求項１】
ポール本体の上端部に取り付けられるグリップ本体と、該グリップ本体の歩行方向後方側となる背面に着脱可能に取り付けられるハンドストラップと、を備えた歩行補助用ポールのグリップであって、
前記ハンドストラップは、前記グリップ本体を手で握った際に親指と人差し指との間にその長手方向が指先方向に沿って位置可能な可撓性のベルトと、基端部が前記ベルトの長手方向に傾動可能に連結されると共に先端部に係止部を有する係止部材と、前記ベルトの両端部に連結されて前記手を支持可能なストラップ本体とを有し、
前記係止部材の先端部を前記グリップ本体の前記背面に設けた係止部材挿入孔に挿入して、当該挿入孔内に設けられた操作部材の係止部に前記係止部材の係止部を着脱可能に係止させることを特徴とする歩行補助用ポールのグリップ。
【請求項２】
前記係止部材は、その基端部に前記ベルトの幅と同じ幅のベルト挿通孔を有し、該ベルト挿通孔の長手方向両端部の内面がそれぞれ円弧状の曲面で形成されていることを特徴とする請求項１に記載の歩行補助用ポールのグリップ。
【請求項３】
前記ベルトが複数層の布製ベルトで形成され、その所定の層間に前記係止部材の円柱形状の基端部が遊嵌されていることを特徴とする請求項１または２に記載の歩行補助用ポールのグリップ。
【請求項４】
前記係止部材を前記グリップ本体の係止部材挿入孔に差し込んだ際に、当該係止部材の前記ベルト挿通孔が前記グリップ本体の背面に露出していることを特徴とする請求項１ないし３のいずれかに記載の歩行補助用ポールのグリップ。
【請求項５】
前記係止部材挿入孔の挿入口が前記グリップ本体の背面に斜め下方に指向して開口されると共に、前記グリップ本体の挿入口部分に凹部が形成され、該凹部内に前記係止部材のベルト挿通孔が位置することを特徴とする請求項１ないし４のいずれかに記載の歩行補助用ポールのグリップ。
【考案の詳細な説明】
【技術分野】
【０００１】  本考案は、例えばノルディック・ウォークをする際に使用したり高齢者等が歩行する際に杖として使用する歩行補助用ポールに関わり、特にポールの上部に取り付けられてハンドストラップを介して歩行者が手で握るためのグリップに関する。
【背景技術】
【０００２】  従来、この種のグリップとしては、例えば特許文献１に開示されている。このグリップは、プラスチックコードの親指と人差し指の間に位置する部分に、半円あるいは半楕円形状のアイレット状の突出部分を形成し、この突出部分をグリップ本体のフック装置（保持ペグ）の所定深さのスロットに押し込むことにより、手袋あるいはハンドストラップからなる手保持装置をグリップ本体に対して着脱可能に取り付けたものである。
【先行技術文献】
【特許文献】
【０００３】
【特許文献１】特許第５１１６４８４号公報
【考案の概要】
【考案が解決しようとする課題】
【０００４】  しかしながら、このようなグリップにあっては、グリップ本体を手で握った際に、親指と人差し指の間にプラスチックコード（ハンドストラップ）の突出部分が位置するものの、突出部分が単に半円あるいは半楕円形状に形成されているのみであるため、ハンドストラップの突出部分すなわち親指と人差し指の間でグリップ本体を確実に支持することが難しい。特に、グリップ本体に対するハンドストラップの突出部分の左右方向（グリップ本体の幅方向）への傾動動作を良好に規制できないばかりか、当該突出部分の上下方向（グリップ本体の長手方向）の傾動動作もスムーズに行うことが困難で、十分な歩行補助効果を得ることが難しい。【０００５】  本考案は、このような事情に鑑みてなされたもので、その目的は、ハンドストラップのグリップ本体との連結部分における左右方向への傾動動作を良好に規制しつつ上下方向の傾動動作をスムーズに行い得て、歩行補助効果を十分に高めることが可能な歩行補助用ポールのグリップを提供することにある。
【課題を解決するための手段】
【０００６】  かかる目的を達成すべく、本考案のうち請求項１に記載の考案は、ポール本体の上端部に取り付けられるグリップ本体と、該グリップ本体の歩行方向後方側となる背面に着脱可能に取り付けられるハンドストラップと、を備えた歩行補助用ポールのグリップであって、前記ハンドストラップは、前記グリップ本体を手で握った際に親指と人差し指との間にその長手方向が指先方向に沿って位置可能な可撓性のベルトと、基端部が前記ベルトの長手方向に傾動可能に連結されると共に先端部に係止部を有する係止部材と、前記ベルトの両端部に連結されて前記手を支持可能なストラップ本体とを有し、前記係止部材の先端部を前記グリップ本体の前記背面に設けた係止部材挿入孔に挿入して、当該挿入孔内に設けられた操作部材の係止部に前記係止部材の係止部を着脱可能に係止させることを特徴とする。【０００７】  また、請求項２に記載の考案は、前記係止部材が、その基端部に前記ベルトの幅と同じ幅のベルト挿通孔を有し、該ベルト挿通孔の長手方向両端部の内面がそれぞれ円弧状の曲面で形成されていることを特徴とする。また、請求項３に記載の考案は、前記ベルトが複数層の布製ベルトで形成され、その所定の層間に前記係止部材の円柱形状の基端部が遊嵌されていることを特徴とする。【０００８】  さらに、請求項４に記載の考案は、前記係止部材を前記グリップ本体の係止部材挿入孔に差し込んだ際に、当該係止部材の前記ベルト挿通孔が前記グリップ本体の背面に露出していることを特徴とする。また、請求項５に記載の考案は、前記係止部材挿入孔の挿入口が前記グリップ本体の背面に斜め下方に指向して開口されると共に、前記グリップ本体の挿入口部分に凹部が形成され、該凹部内に前記係止部材のベルト挿通孔が位置することを特徴とする。
【考案の効果】
【０００９】  本考案のうち請求項１に記載の考案によれば、親指と人差し指との間に位置可能な可撓性のベルトと、基端部がベルトに傾動可能に連結されると共に先端部に係止部を有する係止部材を有し、係止部材の先端部をグリップ本体の背面に設けた係止部材挿通孔に挿入して、その係止部を挿入孔内の操作部材の係止部に係止させるため、ベルトが連結された係止部材を係止部材挿入孔に確実に挿入係止できて、親指と人差し指の間に位置する係止部材の、グリップ本体に対する左右方向への傾動動作を規制しつつ上下方向の傾動動作をスムーズに行うことができて、歩行補助効果を十分に高めることができる。【００１０】  また、請求項２に記載の考案によれば、請求項１に記載の考案の効果に加え、係止部材が基端部にベルトの幅と略同一のベルト挿通孔を有し、このベルト挿通孔の長手方向の両端部の内面がそれぞれ円弧状の曲面で形成されているため、ベルトに係止部材を良好に接触係止（係合）できて、グリップ本体に取り付けられたハンドストラップのベルトに対する係止部材の傾動動作を一層良好に行うことができる。【００１１】  また、請求項３に記載の考案によれば、請求項１または２に記載の考案の効果に加え、ベルトが複数層の布製ベルトで形成され、その所定の層間に係止部材の基端部が遊嵌されているため、係止部材のベルトに対する傾動動作をより一層良好に行うことができると共に、係止部材とベルトを簡単かつ確実に連結することができる。【００１２】  さらに、請求項４に記載の考案によれば、請求項１ないし３に記載の考案の効果に加え、係止部材をグリップ本体の係止部材挿入孔に差し込んだ際に、そのベルト挿通孔がグリップ本体の背面に露出しているため、ハンドストラップをグリップ本体に取り付けた際に、ベルトをグリップ本体に近接させて最短距離とし、親指と人差し指の間をベルト部分で一層スムーズに支持することができる。【００１３】  また、請求項５に記載の考案によれば、請求項１ないし４に記載の考案の効果に加え、係止部材挿入孔の挿入口がグリップ本体の背面に斜め下方に指向して開口されると共に、係止部材のベルト挿通孔がグリップ本体の凹部内に位置するため、ベルト挿通孔のグリップ本体の背面からの突出やガタ付きの発生等を抑制して、ベルトとグリップ本体との距離を一層短い距離とし、親指と人差し指の間をベルト部分でより一層スムーズに支持することができる。
【図面の簡単な説明】
【００１４】
【図１】本考案に係わる歩行補助用ポールの側面図
【図２】同そのハンドストラップの斜視図
【図３】同その係止部材の斜視図
【図４】同その要部断面図
【図５】同ハンドストラップの着脱操作を示す、（ａ）が取り付け状態の断面図で（ｂ）が取り外した状態の断面図
【図６】同グリップ本体の斜視図
【図７】同その（ａ）が平面図で（ｂ）が背面図
【図８】同グリップ本体と係止部材の係止状態を示す断面図
【図９】同係止部材の着脱方法を示す、（ａ）が操作部材を押圧操作した状態の断面図で（ｂ）が係止部材を取り外した状態の断面図
【図１０】同ハンドストラップの傾動動作を示す、（ａ）がベルトの一方側に傾動した状態で（ｂ）が略垂直状態で（ｃ）がベルトの他方側に傾動した状態の断面図
【図１１】同ハンドストラップを手に装着した状態を示す斜視図
【考案を実施するための形態】
【００１５】  以下、本考案を実施するための形態を図面に基づいて詳細に説明する。
本考案の歩行補助用ポール１は、図１に示すように、所定長さかもしくは長さ調整可能なポール本体２を有し、このポール本体２の先端である下端部には、歩行時の衝撃吸収用のゴムキャップ３が取り付けられ、ポール本体２の上端部には、グリップ４が取り付けられている。前記グリップ４は、例えば樹脂製のグリップ本体４ａと、このグリップ本体４ａの上端部に押圧操作可能に配設された操作部材５と、グリップ本体４ａの歩行方向後方側となる背面４ａ１上部に着脱可能に取り付けられたハンドストラップ６を備えている。
【００１６】  前記ハンドストラップ６は、図２に示すように、布製で形成されて可撓性を有し、親指挿入孔６ａ１の両側に係止部材取付部６ａ２をそれぞれ有するストラップ本体６ａと、係止部材取付部６ａ２先端にその両端部が固着された布製の１枚の補強ベルト６ｂ及び２枚の積層状態の係止部材取付ベルト６ｃ１、６ｃ２と、ストラップ本体６ａの一端にその端部が固着された締付けベルト６ｄと、ストラップ本体６ａの他端に固着されたベルトフック６ｅと、図示しない布製ファスナー等を有しており、これらは縫製等によりそれぞれ互いに固着されている。また、ハンドストラップ６の前記係止部材取付ベルト６ｃ１、６ｃ２には、樹脂製の係止部材７が連結されている。
【００１７】  この係止部材７は、図３及び図４に示すように、樹脂により平面視略長方形状の板状に形成され、長手方向の基端側に取付部７ａが形成されると共に、先端側には鍵状のフック７ｂが一体形成されている。このとき、取付部７ａは、前記係止部材取付ベルト６ｃ１が挿通されるベルト挿通孔７ａ１を有し、このベルト挿通孔７ａ１の基端部８ａの内面と外面及び先端部８ｂの内面は、それぞれ略半円弧状の曲面で形成されて、ベルト挿通孔７ａ１と係止部材取付ベルト６ｃ１、６ｃ２との接触がスムーズ（円滑）となるように設定されている。
【００１８】  また、ベルト挿通孔７ａ１の幅Ｗ方向の両内面は平面で形成されると共に、その幅Ｗは係止部材取付ベルト６ｃ１、６ｃ２の幅と略同一に設定されて、係止部材取付ベルト６ｃ１、６ｃ２の長手方向と直交する幅方向への移動を規制するようになっている。なお、図においては、挿通孔７ａ１の長さＬが係止部材取付ベルト６ｃ１の厚さｔに対して大きく設定されているが、これらの寸法を同一に設定して係止部材取付ベルト６ｃ１、６ｃ２の係止部材７の長手方向への移動も規制するようにしても良い。
【００１９】  そして、前記係止部材７は、図５に示すようにして、ハンドストラップ６に連結されている。すなわち、図５（ａ）に示すように、係止部材７のベルト挿通孔７ａ１の基端部８ａが、ハンドストラップ６の積層状態の２枚の係止部材取付ベルト６ｃ１、６ｃ２の長手方向の略中間位置に設けられた係止部材取付部９に遊嵌状態で取り付けられている。このとき、前記係止部材取付部９においては、２枚の係止部材取付ベルト６ｃ１、６ｃ２が互いに密着固定されずにフリーな状態で、この係止部材取付部９の両側部分においては、２枚の係止部材取付ベルト６ｃ１、６ｃ２が縫製等により互いに密着状態で固着された状態となっている。
【００２０】  そして、フリーな状態の係止部材取付部９内に係止部材７の略円柱形状の前記基端部８ａが遊嵌されている。なお、係止部材取付部９の２枚の係止部材取付ベルト６ｃ１、６ｃ２の内面で形成される円周線の長さは、前記基端部８ａの外周線の長さと同一か若干長く形成されている。また、係止部材取付ベルト６ｃ１、６ｃ２の内側に配設される前記補強ベルト６ｂは、その両端部のみが係止部材取付ベルト６ｃ１、６ｃ２の両端部と共に、ハンドストラップ６の前記係止部材取付部６ａ２に縫製等により固着されている。
【００２１】  次に、このように構成されたハンドストラップ６が取り付けられるグリップ本体４ａについて説明する。グリップ本体４ａは、図６及び図７に示すように、断面略楕円形状で軸心位置に下端から所定深さで形成されたポール嵌合孔１０（図７（ｂ）参照）を有すると共に、上部には係止部材挿入部１１が一体形成されている。係止部材挿入部１１は、その挿入口１１ａ１がグリップ本体４ａの背面４ａ１に斜め下方に向けて開口した挿入孔１１ａを内部に有し、この挿入孔１１ａの上部の開口部分には、前記操作部材５（図６及び図７には図示せず）が軸１３（図８参照）を中心に所定角度回動可能に配設されている。
【００２２】  この操作部材５は、図８及び図９に示すように、グリップ本体４ａの上面に露出した押圧部５ａと、係止部材７のフック７ｂに係止可能な鍵状の係止フック５ｂと、前記軸１３が設けられる軸部５ｃ及びバネ部５ｄ等を有して樹脂により一形成されている。そして、操作部材５の係止フック５ｂが係止部材７のフック７ｂに係止された図８に示す状態から、押圧部５ａを親指で矢印イの如くバネ部５ｄの付勢力に抗して所定圧で押すことにより、操作部材５が図９（ａ）に示すように、軸１３を中心に所定角度回動してその係止フック５ｂと係止部材７のフック７ｂの係止状態が解除されるようになっている。この状態で図９（ｂ）の矢印ロの如く係止部材７（ハンドストラップ６）を引っ張ることにより、係止部材７がグリップ本体４ａの挿入孔１１ａから抜き取られることになる。
【００２３】  なお、前記グリップ本体４ａの挿入孔１１ａの長さ（深さ）と係止部材７の長さ（全長）は、係止部材７を挿通孔１１ａに挿入して、そのフック７ｂを操作部材５の係止フック５ｂに係止させた際に、図５（ａ）に示すように、係止部材７の取付部７ａの基端部８ａがグリップ本体４ａの背面４ａ１に近接した位置となるように設定されている。
【００２４】  このとき、グリップ本体４ａの挿入孔１１ａの挿入口１１ａ１部分には、図５（ｂ）及び図６に示すように、係止部材挿入部１１や背面４ａ１の外面より窪んだ状態の凹部１４が形成されている。そして、この凹部１４内に係止部材７の取付部７ａ（ベルト挿通孔７ａ１）を位置させることで、係止部材７の取付部７ａがグリップ本体４ａの背面４ａ１から大きく離れて突出した位置とならないように設定されている。また、挿入孔１１ａの挿入口１１ａ１を含む断面形状は、前記係止部材７の断面形状と略同一に設定されて、例えば挿入孔１１ａに挿入係止された係止部材７の幅方向（左右方向）等の移動（ガタ付き）の発生が規制されている。
【００２５】  そして、前記係止部材７を有するハンドストラップ６は、図１に示すように、係止部材７をグリップ本体４ａの係止部材挿入部１１の挿入孔１１ａに差し込むことにより、係止部材７のフック７ｂと操作部材５の係止フック５ｂとが係止されてグリップ本体４ａに取り付けられる。このグリップ本体４ａに取り付けられたハンドストラップ６は、図１１に示すようにして、左手（もしくは右手）に装着される。
【００２６】  このとき、ハンドストラップ６の前記親指挿入孔６ａ１に親指１５を差し込み締付けベルト６ｄを締め付けて布製ファスナーで固定することにより、ハンドストラップ６が各手に装着され、この装着状態で補強ベルト６ｂ及び係止部材取付ベルト６ｃ１、６ｃ２が各手の親指１５と人差し指１６の間の付け根部分に接触すると共に、係止部材７が親指１５と人差し指１６間の前方（図１１に示す指先方向ホ）に指向（突出）した状態となる。なお、図１１においては、係止部材７が係止されるグリップ本体４ａを図面上省略しているが、ハンドストラップ６の各手への実際の装着にあたっては、グリップ本体４ａに取り付けられているハンドストラップ６に各手を装着することになる。
【００２７】  このハンドストラップ６の各手への装着状態において、前述したように、係止部材７がグリップ本体４ａの挿入孔１１ａに挿入されて、フック７ｂが係止フック５ｂに係止されると、係止部材７の取付部７ａがグリップ本体４ａの背面４ａ１の凹部１４内に位置し、親指１５と人差し指１６の付け根部分がグリップ本体４ａの背面４ａ１に近接した状態となる。これにより、ハンドストラップ６で支持された各手の動きがグリップ本体４ａに的確に伝達、つまりグリップ本体４ａに対してハンドストラップ６の動きが、次の理由によりスムーズに行えることになる。
【００２８】  すなわち、前記ハンドストラップ６の場合、前述したように、係止部材７の取付部７ａの基端部８ａが２枚の係止部材取付ベルト６ｃ１、６ｃ２の略中間位置の係止部材取付部９に、各ベルト６ｃ１、６ｃ２の長手方向への移動、つまり親指１５と人差し指１６の付け根部分の指先方向ホへの移動が規制されつつ、当該係止部材取付部９を軸とした傾動動作が許容された状態で遊嵌されている。また、ベルト挿通孔７ａ１の幅Ｗが各ベルト６ｃ１、６ｃ２の幅と略同一に設定されて、各ベルト６ｃ１、６ｃ２のベルト挿通孔７ａ１の幅方向への移動が規制され、かつ各ベルト６ｃ１、６ｃ２がベルト挿通孔７ａ１の長手方向内面と外面（全周）の略半円弧状の曲面に接触可能となっている。
【００２９】  したがって、図１０（ｂ）に示すように、係止部材７が係止部材取付ベルト６ｃ１、６ｃ２に対して略垂直の位置から、矢印ハ方向に傾動した図１０（ａ）に示す状態、あるいは矢印ニ方向に傾動した図１０（ｃ）に示す状態への係止部材取付部９を軸とした傾動動作が、係止部材７の係止部材取付ベルト６ｃ１、６ｃ２の長手方向への移動が規制された状態で行われることになる。
【００３０】  つまり、歩行時に歩行補助用ポール１を前後させることで、各手の親指１５と人差し指１６間の付け根部分は、グリップ本体４ａの背面４ａ１に対して傾動動作が繰り返えされるが、この傾動動作の際に、付け根部分が背面４ａ１に対して接離方向やその直交方向に移動してガタ付きが発生すると、各手の動きをグリップ本体４ａに確実かつスムーズに伝達することができず、十分な歩行補助効果が得られない場合がある。
【００３１】  しかし、前記ハンドストラップ６が取り付けられたグリップ４の場合、係止部材７の係止部材取付ベルト６ｃ１、６ｃ２（ストラップ本体６ａ）に対する接離方向の移動を抑制できると共に、接離方向と直交する係止部材７の幅方向への移動も抑制できる。また、係止部材７の基端部８ａが位置するようにグリップ本体４ａの背面４ａ１に凹部１４が設けられていることから、ハンドストラップ６をグリップ本体４ａの背面４ａ１にできるだけ近づけることができる。
【００３２】  その結果、歩行時にハンドストラップ６とグリップ本体４ａの角度が図１０（ａ）〜（ｃ）に示すように変化しても、ハンドストラップ６（係止部材７）がグリップ本体４ａ（背面４ａ１）に対して接離方向に移動する、つまりハンドストラップ６がグリップ本体４ａに対してガタ付くことがなくなる。これらにより、ハンドストラップ６とグリップ本体４ａの動きがスムーズとなり、十分な歩行補助効果が得られることになる。
【００３３】  このように前記グリップ４によれば、係止部材７をグリップ本体４ａの背面４ａ１に設けた係止部材挿入部１１の挿入孔１１ａに挿入して、そのフック７ｂを操作部材５の係止フック５ｂに係止させるため、係止部材取付ベルト６ｃ１、６ｃ２に連結された係止部材７をグリップ本体４ａの係止部材挿入部１１に確実に係止できて、親指１５と人差し指１６の間に位置する係止部材７の、グリップ本体４ａの背面４ａ１における左右方向（係止部材取付ベルト６ｃ１、６ｃ２の長手方向と直交する方向）への傾動動作を確実に規制しつつ、グリップ本体４ａの上下方向（係止部材取付ベルト６ｃ１、６ｃ２の長手方向）の傾動動作をスムーズに行うことができると共に、傾動動作時のハンドストラップ６のグリップ本体４ａに対するガタ付きの発生を防止できて、歩行補助用ポール１による歩行補助効果を十分に高めることが可能になる。
【００３４】  特に、係止部材７の取付部７ａに係止部材取付ベルト６ｃ１、６ｃ２の幅Ｗと略同幅で所定長さのベルト挿通孔７ａ１が形成され、このベルト挿通孔７ａ１の基端部８ａの内面と外面及び先端部８ｂの内面がそれぞれ略半円弧状の曲面で形成されているため、係止部材取付ベルト６ｃ１、６ｃ２に係止部材７を良好に接触係止（係合）することができる。
【００３５】  また、係止部材７が所定長さの平面視長方形状の板状に形成され、これが略同一断面形状を有するグリップ本体４ａの挿入孔１１ａに挿入されるため、係止部材７と挿入口１１ａ１を含む挿入孔１１ａの形状自体によっても、係止部材７の左右方向や上下方向等の移動を規制することができる。これらのことから、ハンドストラップ６をグリップ本体４ａに取り付けた際の、係止部材７と係止部材挿入部１１との間のガタ付きの発生等を確実に防止できて、係止部材取付ベルト６ｃ１、６ｃ２と係止部材７の傾動動作を一層良好に行うことができる。
【００３６】  また、係止部材取付ベルト６ｃ１、６ｃ２が布製ベルトの２層で形成され、その長手方向中間位置の係止部材取付部９の層間に係止部材７の取付部７ａの略円柱形状の基端部８ａが遊嵌されているため、係止部材取付ベルト６ｃ１、６ｃ２と係止部材７の基端部８ａとの接触動作がスムーズとなり、係止部材７の傾動動作をより一層良好に行うことができると共に、係止部材７と係止部材取付ベルト６ｃ１、６ｃ２とを簡単かつ確実に連結することができる。
【００３７】  さらに、係止部材７をグリップ本体４ａの挿入孔１１ａに差し込んだ際に、係止部材７の取付部７ａ（ベルト挿通孔７ａ１）のみがグリップ本体４ａの背面４ａ１に露出しているため、ハンドストラップ６をグリップ本体４ａに取り付けた際、係止部材７とグリップ本体４ａとの距離を最短距離として、ハンドストラップ６がグリップ本体４ａから大きく離れた状態となることがなく、親指１５と人差し指１６の間を可撓性を有する係止部材取付ベルト６ｃ１、６ｃ２部分で一層スムーズに支持することができる。
【００３８】  また、挿入孔１１ａの挿入口１１ａが、グリップ本体４ａの背面４ａ１に斜め下方に指向して開口されると共に、この挿入口１１ａ部分の凹部１４内に係止部材７のベルト挿通孔７ａ１が位置するため、ベルト挿通孔７ａ１のグリップ本体４ａの背面４ａ１からの突出や係止部材取付ベルト６ｃ１、６ｃ２の背面４ａに対するガタ付きの発生等を抑制して、係止部材７とグリップ本体４ａとの距離を一層短い距離とし、親指１５と人差し指１６の間を係止部材取付ベルト６ｃ１、６ｃ２部分でより一層スムーズに支持することができる。これらのことから、歩行時に各手で握ったグリップ本体４ａと、各手を支持するハンドストラップとの各種動きを一層良好として、歩行補助用ポール１による歩行補助効果をより一層高めることが可能になる。
【００３９】  また、ハンドストラップ６がグリップ本体４ａに押圧部材５の押圧操作で着脱できると共に、可撓性の係止部材取付ベルト６ｃ１、６ｃ２が、親指１５と人差し指１６の間の付け根部分に略密着状態で接触可能であるため、例えば使用によりハンドストラップ６が手に適さなくなった場合のハンドストラップ６の交換等を簡単に行うことができたり、歩行者の手の形態に応じたハンドストラップ６の使用が可能になると共に、ハンドストラップ６を各手に良好に装着できる等、使い勝手に優れた歩行補助用ポール１を提供することが可能になる。
【００４０】  なお、前記実施形態においては、係止部材取付ベルト６ｃ１、６ｃ２を２層構造したが、本考案はこれに限定されず、材質が同じかもしくは材質が異なる３層構造として所定の層間に係止部材７の取付部７ａの基端部８ａを遊嵌させる構成としても良い。また、前記実施形態における、係止部材７の形状、ハンドストラップ６の全体形状、操作部材５やグリップ本体４ａ等のグリップ４の形態等も一例であって、本考案に係わる各考案の要旨を逸脱しない範囲において、適宜の構成を採用することができる。
【産業上の利用可能性】
【００４１】  本考案は、ノルディック・ウォーク用の歩行補助用ポールへの適用に限らず、リハビリ用や高齢者が歩行する際に使用する杖にも適用できる等、歩行を補助することが可能な全ての歩行補助用ポールのグリップに利用可能である。
【符号の説明】
【００４２】１・・・・・・・・・歩行補助用ポール
２・・・・・・・・・ポール本体
３・・・・・・・・・ゴムキャップ
４・・・・・・・・・グリップ
４ａ・・・・・・・・グリップ本体
４ａ１・・・・・・・背面
５・・・・・・・・・操作部材
５ａ・・・・・・・・押圧部
５ｂ・・・・・・・・係止フック
５ｃ・・・・・・・・軸部
５ｄ・・・・・・・・バネ部
６・・・・・・・・・ハンドストラップ
６ａ・・・・・・・・ストラップ本体
６ａ１・・・・・・・親指挿入孔
６ａ２・・・・・・・係止部材取付部
６ｃ１、６ｃ２・・・係止部材取付ベルト
６ｄ・・・・・・・・締付けベルト
６ｅ・・・・・・・・ベルトフック
７・・・・・・・・・係止部材
７ａ・・・・・・・・取付部
７ａ１・・・・・・・ベルト挿通孔
７ｂ・・・・・・・・フック
９・・・・・・・・・係止部材取付部
１１・・・・・・・・係止部材挿入部
１１ａ・・・・・・・挿入孔
１１ａ１・・・・・・挿入口
１３・・・・・・・・軸
１４・・・・・・・・凹部
１５・・・・・・・・親指
１６・・・・・・・・人差し指
ハ、ニ・・・・・・・傾動方向
ホ・・・・・・・・・指先方向
【図１】
0003215907.tif 000003
【図２】
0003215907.tif 000004
【図３】
0003215907.tif 000005
【図４】
0003215907.tif 000006
【図５】
0003215907.tif 000007
【図６】
0003215907.tif 000008
【図７】
0003215907.tif 000009
【図８】
0003215907.tif 000010
【図９】
0003215907.tif 000011
【図１０】
0003215907.tif 000012
【図１１】
0003215907.tif 000013
【手続補正書】
【提出日】平成30年2月1日(2018.2.1)
【手続補正１】
【補正対象書類名】実用新案登録請求の範囲
【補正対象項目名】全文
【補正方法】変更
【補正の内容】
【実用新案登録請求の範囲】
【請求項１】
ポール本体の上端部に取り付けられるグリップ本体と、該グリップ本体の歩行方向後方側となる背面に着脱可能に取り付けられるハンドストラップと、を備えた歩行補助用ポールのグリップであって、  前記ハンドストラップは、前記グリップ本体を手で握った際に親指と人差し指との間にその長手方向が指先方向に沿って位置可能な可撓性のベルトと、基端部が前記ベルトの長手方向に傾動可能に連結されると共に先端部に係止部を有する係止部材と、前記ベルトの両端部に連結されて前記手を支持可能なストラップ本体とを有し、  前記係止部材の先端部を前記グリップ本体の前記背面に設けた係止部材挿入孔に挿入して、当該挿入孔内に設けられた操作部材の係止部に前記係止部材の係止部を着脱可能に係止させることを特徴とする歩行補助用ポールのグリップ。
【請求項２】
前記係止部材は、その基端部に前記ベルトの幅と同じ幅のベルト挿通孔を有し、該ベルト挿通孔の長手方向両端部の内面がそれぞれ円弧状の曲面で形成されていることを特徴とする請求項１に記載の歩行補助用ポールのグリップ。
【請求項３】
前記ベルトが複数層の布製ベルトで形成され、その所定の層間に前記係止部材の円柱形状の基端部が遊嵌されていることを特徴とする請求項１または２に記載の歩行補助用ポールのグリップ。
【請求項４】
前記係止部材を前記グリップ本体の係止部材挿入孔に差し込んだ際に、当該係止部材の前記ベルト挿通孔が前記グリップ本体の背面に露出していることを特徴とする請求項２に記載の歩行補助用ポールのグリップ。
【請求項５】
前記係止部材挿入孔の挿入口が前記グリップ本体の背面に斜め下方に指向して開口されると共に、前記グリップ本体の挿入口部分に凹部が形成され、該凹部内に前記係止部材のベルト挿通孔が位置することを特徴とする請求項２または４のいずれかに記載の歩行補助用ポールのグリップ。
【手続補正２】
【補正対象書類名】明細書
【補正対象項目名】００１２
【補正方法】変更
【補正の内容】
【００１２】  さらに、請求項４に記載の考案によれば、請求項２に記載の考案の効果に加え、係止部材をグリップ本体の係止部材挿入孔に差し込んだ際に、そのベルト挿通孔がグリップ本体の背面に露出しているため、ハンドストラップをグリップ本体に取り付けた際に、ベルトをグリップ本体に近接させて最短距離とし、親指と人差し指の間をベルト部分で一層スムーズに支持することができる。
【手続補正３】
【補正対象書類名】明細書
【補正対象項目名】００１３
【補正方法】変更
【補正の内容】
【００１３】  また、請求項５に記載の考案によれば、請求項２または４に記載の考案の効果に加え、係止部材挿入孔の挿入口がグリップ本体の背面に斜め下方に指向して開口されると共に、係止部材のベルト挿通孔がグリップ本体の凹部内に位置するため、ベルト挿通孔のグリップ本体の背面からの突出やガタ付きの発生等を抑制して、ベルトとグリップ本体との距離を一層短い距離とし、親指と人差し指の間をベルト部分でより一層スムーズに支持することができる。